(57)【要約】【課題】適度な厚さと断熱性があり、作業性に問題がない程度に軽く、インナー用手袋として好適な手袋を提供する。【解決手段】本考案の手袋は、芯糸(2)の周囲に花糸(3)を配置し、花糸(3)の上から押さえ糸(4)を巻きつけた意匠撚糸で編成されている。芯糸(2)及び押さえ糸(4)は、ポリエステル繊維糸、ナイロン繊維糸及び天然繊維糸から選ばれる少なくとも一つの糸であり、花糸(3)は天然繊維糸、レーヨン繊維糸、アクリル繊維糸、ポリエステル繊維糸、ナイロン繊維糸及び紙糸から選ばれる少なくとも一つの糸である。【選択図】図１
0003176966.tif 000002
【実用新案登録請求の範囲】
【請求項１】
芯糸の周囲に花糸を配置し、前記花糸の上から押さえ糸を巻きつけた意匠撚糸で編成された手袋であって、
前記芯糸及び押さえ糸は、ポリエステル繊維糸、ナイロン繊維糸及び天然繊維糸から選ばれる少なくとも一つの糸であり、
前記花糸は天然繊維糸、レーヨン繊維糸、アクリル繊維糸、ポリエステル繊維糸、ナイロン繊維糸及び紙糸から選ばれる少なくとも一つの糸であることを特徴とする手袋。
【請求項２】
前記手袋は、インナー用手袋である請求項１に記載の手袋。
【請求項３】
前記意匠撚糸の一定長さ当たり、前記花糸の長さは前記芯糸よりも１．１〜５倍長い請求項１又は２に記載の手袋。
【請求項４】
前記手袋の手首部の外側には、ゴム又はエラストマーがドット状で手袋生地に一体化されている請求項１〜３のいずれか１項に記載の手袋。
【考案の詳細な説明】
【技術分野】
【０００１】
本考案は、手袋に関し、好適にはインナー用手袋に関する。
【背景技術】
【０００２】
手袋は様々な目的で使われる。例えば作業時に主として手を保護するための作業用手袋、アーク溶接などの溶接作業手袋、加熱調理等の高熱物体を扱う耐熱手袋、スポーツ用手袋、防寒手袋、防水手袋等がある。手袋の使用方法も様々であり、単体での使用、複数枚重ねて使用することも一般的である。特許文献１には、アラミド繊維糸単体を用いて手袋を編成し、手のひら部分に合成樹脂を加熱融着することが提案されている。本考案者は特許文献２において耐熱性繊維（スーパー繊維）と添え糸を使用した耐熱手袋を提案し、特許文献３において耐熱性繊維（スーパー繊維）を使用した薄手手袋を提案している。
【０００３】
しかし、これら従来の手袋はアラミド繊維等の耐熱性繊維（スーパー繊維）を使用しているため、コストが高いという問題があった。また、インナー用手袋として使用するには特許文献１〜２の手袋は厚すぎ、特許文献３の手袋は薄すぎて断熱性に問題があった。
【先行技術文献】
【特許文献】
【０００４】
【特許文献１】実用新案登録第３０４８６３３号公報
【特許文献２】特許第４０５３５５８号明細書
【特許文献３】特許第４９０４２３３号明細書
【考案の開示】
【考案が解決しようとする課題】
【０００５】
本考案は、前記従来の問題を解決するため、適度な厚さと断熱性があり、作業性に問題がない程度に軽く、インナー用手袋として好適な手袋を提供する。
【課題を解決するための手段】
【０００６】
本考案の手袋は、芯糸の周囲に花糸を配置し、前記花糸の上から押さえ糸を巻きつけた意匠撚糸で編成された手袋であって、前記芯糸及び押さえ糸は、ポリエステル繊維糸、ナイロン繊維糸及び天然繊維糸から選ばれる少なくとも一つの糸であり、前記花糸は天然繊維糸、レーヨン繊維糸、アクリル繊維糸、ポリエステル繊維糸、ナイロン繊維糸及び紙糸から選ばれる少なくとも一つの糸であることを特徴とする。
【考案の効果】
【０００７】
本考案の手袋は、  芯糸の周囲に花糸を配置し、前記花糸の上から押さえ糸を巻きつけた意匠撚糸で編成された手袋であるため、適度な厚さと断熱性があり、作業性に問題がない程度に軽く、インナー用手袋として好適な手袋とすることができる。より具体的には下記の効果が得られる。
(1)添え糸を使用していないため、目付を軽くできる。
(2)意匠撚糸のみで構成されているため空気を多く含み、温かい。
(3)アラミド繊維等の耐熱性繊維（スーパー繊維）を使用していないため、肌にやさしく手触りもやわらかい。
(4)意匠撚糸のみで構成されているため、編み物で編成する手袋の場合、製造しやすい．
(5)アラミド繊維等の耐熱性繊維（スーパー繊維）を使用していないため、コストが安い。
(6)アウター手袋を目的に応じて選択できる。例えばアウター手袋は、軍手、ゴム手袋、ポリエチレン手袋、皮革製手袋、合成繊維製等のオーバー手袋などを使用できる。
【図面の簡単な説明】
【０００８】
【図１】図１Ａは本考案で使用する一実施例の意匠撚糸の側面図、図１Ｂは同断面図である。
【図２】図２Ａは本考案の一実施例の手袋の正面図、図２Ｂは図２Ａの部分的拡大図であり手袋の模式的編み物組織図である。
【考案を実施するための形態】
【０００９】
本考案の手袋は、芯糸の周囲に花糸を配置し、花糸の上から押さえ糸を巻きつけた意匠撚糸で編成されている。前記において、「巻きつけた」とは撚り込んでいることと同義である。この糸の構造自体は意匠撚糸として従来から知られている。押さえ糸の撚り回数は、糸の太さにもよるが、綿番手（1ｇ当たりの長さ（ｍ）で表示）３０／１番（３０番単糸）の場合、２００〜１０００回／ｍである。花糸の突出長さは１〜５ｍｍが好ましい。意匠撚糸の一定長さ当たり、花糸の長さは芯糸よりも１．１〜５倍長いことが好ましい。この範囲であれば適度な空気を含みかつ手袋を編成する際に加工上の問題もない。
【００１０】
芯糸及び押さえ糸は、ポリエステル繊維糸、ナイロン繊維糸及び天然繊維糸から選ばれる少なくとも一つの糸であり、花糸は天然繊維糸、レーヨン繊維糸、アクリル繊維糸、ポリエステル繊維糸、ナイロン繊維糸及び紙糸から選ばれる少なくとも一つの糸である。これらはいずれも一般の民生用として汎用されている繊維糸である。よってコストを安くできる。また、アラミド繊維等の耐熱性繊維（スーパー繊維）を使用していないため、肌にやさしく手触りもやわらかい。紙糸は特開２０１０−０９５８３５号公報、特開２０１０−０３７６７０号公報などによって知られており、三木特種製紙社製のスリット糸用紙、白川製紙社製のスリット糸用紙などをスリットして使用できる。
【００１１】
本考案の意匠撚糸の繊度は１１８〜５９０５ｄｔｅｘ（綿番手：０．５〜５０番）程度が好ましい。単糸で使用することもできるし、複数本引き揃えるか、あるいは合撚して使用できる。
【００１２】
本考案の手袋の厚さは０．２ｍｍ以上３ｍｍ以下が好ましく、さらに０．３ｍｍ以上２ｍｍ以下が好ましい。手袋の重量は２０ｇ／双（両手用）以上１００ｇ／双以下が好ましく、さらに好ましくは４０ｇ／双（両手用）以上８０ｇ／双以下である。厚さ及び重量が前記の範囲であると、アウター手袋をはめても動きは阻害されず、かつ保護機能、防寒機能なども阻害されない。
【００１３】
本考案の手袋は、インナー用手袋として有用である。アウター手袋は目的に応じて選択できる。例えばアウター手袋は、軍手、ゴム手袋、ポリエチレン手袋、皮革製手袋、合成繊維製等のオーバー手袋などを使用できる。
【００１４】
手袋の手首部の外側には、ゴム又はエラストマーがドット状で手袋生地に一体化されているのが好ましい。このようにしておくと、アウター手袋をはめた時に密着性が高まる。
【００１５】
以下図面を用いて説明する。図１Ａは本考案で使用する一実施例の意匠撚糸の側面図、図１Ｂは同断面図である。この意匠撚糸１は、芯糸２の周囲に花糸３を配置し、花糸３の上から押さえ糸４を巻きつけている。図２Ａは前記意匠糸で編成された手袋１０の正面図、図２Ｂは図２Ａの部分的拡大図であり手袋の模式的編み物組織図である。手首部５は前記意匠糸とともにゴム糸を添え糸として編み込み、身体の手首との密着性を高めている。また、手首部５の外側にはゴム又はエラストマーで形成されるドット部６が形成されており、アウター手袋との密着性が高まるようにしている。
【実施例】
【００１６】
以下実施例を用いて、さらに本考案を具体的に説明する。本考案は下記の実施例に限定されるものではない。
【００１７】
（実施例１）
（１）意匠撚糸の製造
芯糸及び押さえ糸としてポリエステルマルチフィラメント加工糸（東レ製）、トータル繊度８３ｄｔｅｘ（７５デニール）、フィラメント数４８本を使用し、花糸として木綿糸１９６．９ｄｔｅｘ（綿番手：３０／１）を使用した。木綿糸の単糸を３本使用し、芯糸１本に対してオーバーフィード率３〜５倍で供給して絡みつけ、絡みつけと同時にその上から押さえ糸を撚り数約７００回／ｍで実撚を掛けた。得られた意匠撚糸は、図１Ａ−Ｂに示すとおりであり、ループの平均突出長さ３ｍｍ、１インチあたり平均５０個のループが３６０°の角度であらゆる角度に突出していた。この意匠撚糸の繊度は２５１１ｄｔｅｘ（綿番手：２．３５３０番、２２６０デニール）であった。
【００１８】
（２）手袋の編成
島精機社製の全自動手袋編み機（７ゲージ）に前記意匠撚糸を供給し、ニット製インナー手袋を編成した。手首部は前記意匠糸とともにゴム糸（#６０）を添え糸として編み込んだ。得られたインナー手袋は図２Ａに示し、編み物構造は図２Ｂに示すとおりである。このインナー手袋の重量は４２．９ｇ／双であった。
【００１９】
（３）インナー手袋の性能評価
得られたインナー手袋の外側に木綿製軍手をはめて土木作業をしたところ、作業性はよく、手の保護機能、防寒機能もよかった。また、得られたインナー手袋の外側にゴム手袋をはめて河川の浚渫作業をしたところ、作業性はよく、手の保護機能、防寒機能もよかった。このインナー手袋は通気性もあり、作業後の洗濯もすることができ、繰り返し使用ができた。また、手首部にはゴム又はエラストマーで形成されるドット部を作成したので、アウター手袋をはめた時に密着性が高かった。
【００２０】
（実施例２）
芯糸及び押さえ糸としてポリエステルマルチフィラメント加工糸（東レ製）、トータル繊度８３ｄｔｅｘ（７５デニール）、フィラメント数４８本を使用し、花糸としてウール糸１／７２（ウール番手７２番単糸）を使用した。ウール糸の単糸を３本使用し、芯糸１本に対してオーバーフィード率３〜５倍で供給して絡みつけ、絡みつけと同時にその上から押さえ糸を撚り数約７００回／ｍで実撚を掛けた。得られた意匠撚糸は、ループの平均突出長さ３ｍｍ、１インチあたり平均５０個のループが３６０°の角度であらゆる角度に突出していた。この意匠撚糸の繊度は２１９４．５ｄｔｅｘであった。このようにして得られた意匠撚糸を２本使用して実施例１と同様に手袋を編成した。このインナー手袋の重量は５６ｇ／双であった。
【００２１】
得られたインナー手袋の外側にゴム手袋をはめて水辺の土木作業をしたところ、作業性はよく、手の保護機能、防寒機能もよかった。とくに防寒機能は高かった。このインナー手袋は通気性もあり、作業後の洗濯もすることができ、繰り返し使用ができた。また、手首部にはゴム又はエラストマーで形成されるドット部を作成したので、アウター手袋をはめた時に密着性が高かった。
【００２２】
（実施例３）
芯糸及び押さえ糸としてポリエステルマルチフィラメント加工糸（東レ製）、トータル繊度８３ｄｔｅｘ（７５デニール）、フィラメント数４８本を使用し、花糸としてウール糸１／７２（ウール番手７２番単糸）を使用した。ウール糸の単糸を３本使用し、芯糸１本に対してオーバーフィード率３〜５倍で供給して絡みつけ、絡みつけと同時にその上から押さえ糸を撚り数約７００回／ｍで実撚を掛けた。得られた意匠撚糸は、ループの平均突出長さ３ｍｍ、１インチあたり平均５０個のループが３６０°の角度であらゆる角度に突出していた。この意匠撚糸の繊度は２１９４．５ｄｔｅｘであった。このようにして得られた意匠撚糸を１本使用して  島精機社製の全自動手袋編み機（１０ゲージ）に供給し、ニット製インナー手袋を編成した。手首部は前記意匠糸とともにゴム糸（#８０）を添え糸として編み込んだ。得られたインナー手袋の重量は３３．５ｇ／双であった。
【００２３】
得られたインナー手袋の外側にゴム手袋をはめて水辺の土木作業をしたところ、作業性はよく、手の保護機能、防寒機能もよかった。実施例２の手袋に比較して薄手で作業性がよかった。このインナー手袋は通気性もあり、作業後の洗濯もすることができ、繰り返し使用ができた。また、手首部にはゴム又はエラストマーで形成されるドット部を作成したので、アウター手袋をはめた時に密着性が高かった。
【産業上の利用可能性】
【００２４】
本考案の手袋は、土木作業などの作業用インナー手袋、パン焼きなどの耐熱用インナー手袋、浚渫などの水仕事用インナー手袋、スキーや登山などのスポーツ用インナー手袋などに有用である。
【符号の説明】
【００２５】
１  意匠撚糸
２  芯糸
３  花糸
４  押さえ糸
５  手首部
６  ゴム又はエラストマーで形成されるドット部
１０  手袋
【図１】
0003176966.tif 000003
【図２】
0003176966.tif 000004